(57)【特許請求の範囲】
【請求項１】
通常モードより消費電力の少ない省電力モードから前記通常モードに復帰するための検出を行う静電容量式の人体検知センサを有する画像形成装置において、
前記人体検知センサのアンテナを、ユーザから前記復帰の操作を受け得る所定の検出対象領域の外周に沿って配線すると共に、
前記アンテナを角部で角を作らずにカーブさせて配線する、前記アンテナの太さを角部で角部以外の部分より細くする、前記アンテナを角部では蛇行させずに配線し角部以外の部分で蛇行させて配線する、のうちの少なくとも１つにより、前記アンテナの角部と角部以外の部分との感度差を少なくした
ことを特徴とする画像形成装置。
【請求項２】
通常モードより消費電力の少ない省電力モードから前記通常モードに復帰するための検出を行う静電容量式の人体検知センサを有する画像形成装置において、
前記人体検知センサのアンテナを、ユーザから前記復帰の操作を受け得る所定の検出対象領域の外周に沿って配線すると共に、
前記復帰の操作を行う人の手指に対応する所定の平面領域を、前記アンテナの角部に配置した場合と、前記アンテナの角部以外の部分に配置した場合とで、前記平面領域に含まれる前記アンテナの面積の差が少なくなるように前記アンテナの各部の形状を設定して、前記アンテナの角部と角部以外の部分との感度差を少なくした
ことを特徴とする画像形成装置。
【請求項３】
前記アンテナを角部で角を作るように配線し、
前記アンテナの太さを、前記角部で角部以外の部分より細くすることで、前記面積の差を少なくした
ことを特徴とする請求項２に記載の画像形成装置。
【請求項４】
前記アンテナを角部で角を作らずにカーブさせて配線することで、前記面積の差を少なくした
ことを特徴とする請求項２に記載の画像形成装置。
【請求項５】
前記アンテナを、角部では蛇行させずに配線し、角部以外の部分では蛇行させて配線することで、前記面積の差を少なくした
ことを特徴とする請求項２に記載の画像形成装置。
【請求項６】
前記検出対象領域は、操作パネルもしくは、タッチパネルの存在領域に設けられる
ことを特徴とする請求項１乃至５のいずれか１つに記載の画像形成装置。
【発明の詳細な説明】
【技術分野】
【０００１】
本発明は、通常モードより消費電力の少ない省電力モードから通常モードに復帰するための操作を検出する静電容量式の人体検知センサを有する画像形成装置に関する。
【背景技術】
【０００２】
消費電力を削減するために画像形成装置では、使用されない状態が一定時間継続した場合に、当該装置の一部への電力供給を停止する省電力モードへ移行させる電力制御が行なわれている。一般に、省電力モードから通常モードへの復帰は、当該装置の操作パネルへのユーザからの操作を検出した際に行われる。従来、省電力モードから通常モードに復帰するための操作の検出は、操作パネル内に配置した操作検出回路で、操作パネルのキーやタッチパネルを常時スキャンすることで行われていた。
【０００３】
しかし、近年では省電力モードでの消費電力をさらに削減するために、上記操作検出回路についても電力供給を停止することが要請される。そこで、上記の操作検出回路よりも少ない消費電力でユーザからの復帰操作を検出する方法として、静電容量式の人体検知センサを使用する方式が提案されている(下記特許文献１参照)。
【０００４】
静電容量式の人体検知センサは、静電容量という電気エネルギーの貯蔵容量の変化を利用して、人の手などの近接を検知する。静電容量は、空間に配置された二つの導電体の間には必ず作られる。図９に示すように、２枚の金属板（導電体）を平行に配置して電圧を加えると静電容量が作られる。静電容量の値（C)は、二つの導電体の距離（L）と、面積（S）と、導電体の間にある絶縁体の性質(誘電率)と、によって決定される。導電体間にある絶縁体が空気の場合、C=ε0εS×S÷L の関係がある。ただし、ε0は真空の誘電率εSは空気の誘電率である。
【０００５】
人体検知センサを操作パネルに搭載する場合、たとえば、図１０に示すにように、操作パネル１００のディスプレイ１０１上に設けたタッチパネルのベゼル（外周の枠）１０２に沿ってアンテナ１０３を配線し、操作パネル１００の回路基板上に検知回路が設けられる。
【０００６】
図１１に示すように、検知回路１０４は、接続されたアンテナ１０３に対して電圧パルスを出力する。アンテナ１０３とその近くの導体、たとえば、タッチパネルの枠１０２や板金部分、操作パネルの保持フレームなどの金属部分、との間には静電容量が存在し、またこれらには抵抗成分も存在するので、検知回路１０４にＲＣ回路が接続された場合と等価な状態になる。従って、検知回路１０４からアンテナ１０３に電圧パルスを出力すると、ＲＣ回路への充放電が繰り返されることになる。
【０００７】
図１２に示すように、アンテナ１０３に指や手が近づくと、人体も導電体であるため、指や手とアンテナ１０３との間に数pFの浮遊容量（寄生容量＝コンデンサ）が発生し、それによる静電容量の追加でＲＣ回路の充放電特性（時定数）が変化し、指や手を近づけない場合に比べて、電圧パルスの波形が若干なまる。検知回路１０４はこの電圧パルスの波形の変化に基づいて人体がアンテナ１０３に近づいたことを検知する。
【先行技術文献】
【特許文献】
【０００８】
【特許文献１】特開２０１３−８０１１４号公報
【発明の概要】
【発明が解決しようとする課題】
【０００９】
アンテナとこれに近づけた指や手との間に生じる浮遊容量は、アンテナと指や手までの距離が同じであってもアンテナのどの部分に手や指を近づけるかによって異なる。たとえば、操作パネルが有する矩形のディスプレイ（タッチパネル）の外周に沿ってアンテナを配線した場合、アンテナの角部に指や手を近づけた場合の感度は、角部以外の部分のアンテナに指や手を近づけた場合の感度より高くなる。図１３は、人の手や指に見立てた平面電極１０６（たとえば、７ｃｍ×７ｃｍの金属板）を操作パネル１００に設けられたアンテナ１０３の各所に近づけたときに、それぞれの位置で検知回路１０４が平面電極１０６の接近を検出した距離を示している。距離が長い場所ほど感度が高いことになる。
【００１０】
このようにアンテナ１０３の角部で感度が高くなるのは、手や指をアンテナ１０３の角部に近づけたときにこの手や指に対向する部分のアンテナ１０３の面積が、手や指をアンテナ１０３の角部以外の部分に近づけた場合より大きくなるためと考えられる。たとえば、図１４に示すように、手や指に見立てた平面電極１０６をアンテナ１０３の角部に近づけたときにこの平面電極１０６（Ａ）と対向する部分に含まれるアンテナ１０３の面積は、平面電極１０６をアンテナ１０３の角部以外の部分に近づけたときにこの平面電極１０６（Ｂ）と対向する部分に含まれるアンテナ１０３の面積より大きくなる。
【００１１】
複合機等の画像形成装置を省電力モードから通常モードへ復帰させる操作を人体検知センサで検知する場合、画像形成装置のすぐ傍に人が立っただけで復帰操作があったと誤検知するのは困る。画像形成装置では印刷された用紙が装置の中央または左側に排紙される場合が多いため、用紙回収作業の邪魔にならないように操作パネルは装置の前面の右端に寄せて設置されることがある。この場合、図１５に示すように、複合機等の画像形成装置１１０の右側、つまり、画像形成装置１１０の前面の右端に設置されている操作パネル１００の右側に人が立つと、該右側に立っただけの人を、感度の高いアンテナ１０３の角部分で誤検知するおそれがある。
【００１２】
このような誤検知が生じないように感度を調整すると、最も感度の高い部分、上記の例では、アンテナ１０３の角部分で誤検知が生じないように検知回路１０４の感度を設定する必要がある。しかし、角部の感度とそれ以外の部分の感度に大きな差があると、角部以外の部分の感度が低くなり過ぎてしまう。
【００１３】
アンテナ１０３の角部での配線が問題になるのであれば、角部に配線がないようにすればよいが、その場合の配線形状は、図１６、図１７に示すようなものになる。この場合、図中の破線の丸部分にそれぞれ検知回路１０４が必要となり、複数(この例では４個)の検知回路１０４を設けることにより、コストがアップし、かつ消費電流も増加するので省電力モードの効果が減ってしまう。
【００１４】
本発明は、上記の問題を解決しようとするものであり、省電力モードからの復帰操作を検出する静電容量式の人体検知センサを備えた画像形成装置であって人体検知センサのアンテナの角部と他の部分との感度差を少なく抑えた画像形成装置を提供することを目的としている。
【課題を解決するための手段】
【００１５】
かかる目的を達成するための本発明の要旨とするところは、次の各項の発明に存する。
【００１６】
［１］通常モードより消費電力の少ない省電力モードから前記通常モードに復帰するための検出を行う静電容量式の人体検知センサを有する画像形成装置において、
前記人体検知センサのアンテナを、ユーザから前記復帰の操作を受け得る所定の検出対象領域の外周に沿って配線すると共に、
前記アンテナを角部で角を作らずにカーブさせて配線する、前記アンテナの太さを角部で角部以外の部分より細くする、前記アンテナを角部では蛇行させずに配線し角部以外の部分で蛇行させて配線する、のうちの少なくとも１つにより、前記アンテナの角部と角部以外の部分との感度差を少なくした
ことを特徴とする画像形成装置。
【００１７】
上記発明では、矩形等の角を有する検出対象領域に沿って同じ太さのアンテナを角部で角を作って配線すると、角部の感度が角部以外の感度より高くなるので、アンテナを、角部で角を作らずにカーブさせて配線する、アンテナの太さを角部で角部以外の部分より細くする、アンテナを角部では蛇行させずに配線し角部以外の部分で蛇行させて配線する、のうちの少なくとも１つを採用した形状にすることで、感度差を少なくする。
【００１８】
［２］通常モードより消費電力の少ない省電力モードから前記通常モードに復帰するための検出を行う静電容量式の人体検知センサを有する画像形成装置において、
前記人体検知センサのアンテナを、ユーザから前記復帰の操作を受け得る所定の検出対象領域の外周に沿って配線すると共に、
前記復帰の操作を行う人の手指に対応する所定の平面領域を、前記アンテナの角部に配置した場合と、前記アンテナの角部以外の部分に配置した場合とで、前記平面領域に含まれる前記アンテナの面積の差が少なくなるように前記アンテナの各部の形状を設定して、前記アンテナの角部と角部以外の部分との感度差を少なくした
ことを特徴とする画像形成装置。
【００１９】
上記発明では、角部と角部以外におけるアンテナの感度の違いは、角部に人の手指を近づけたときに該人の手指とアンテナとの間に生じる浮遊容量と、角部以外の部分に人の手指を上記と同じ距離まで近づけたときに該人の手指とアンテナとの間に生じる浮遊容量との差に依存する。この浮遊容量は、近づけた手指と対向する部分のアンテナの面積に応じた値になる。そこで、復帰の操作を行う人の手指に対応する所定の平面領域をアンテナの角部に配置した場合に該平面領域に含まれるアンテナの面積と、平面領域をアンテナの角部以外の部分に配置した場合に該平面領域に含まれるアンテナの面積との差が少なくなるようにアンテナの各部の形状を設定することで、アンテナの角部と角部以外の部分との感度差を少なくする。
【００２０】
［３］前記アンテナを角部で角を作るように配線し、
前記アンテナの太さを、前記角部で角部以外の部分より細くすることで、前記面積の差を少なくした
ことを特徴とする［２］に記載の画像形成装置。
【００２１】
上記発明では、角部でのアンテナの太さを他の部分より細くすることで、角部に配置した所定面積の平面領域に含まれるアンテナの面積と、角部以外の部分に配置した平面領域に含まれるアンテナの面積との差を低減する。
【００２２】
［４］前記アンテナを角部で角を作らずにカーブさせて配線することで、前記面積の差を少なくした
ことを特徴とする［２］に記載の画像形成装置。
【００２３】
上記発明では、角を作るよりもカーブさせた方が角部のアンテナの長さが短くなるので、角部に配置した平面領域に含まれるアンテナの面積も少なくなる。
【００２４】
［５］前記アンテナを、角部では蛇行させずに配線し、角部以外の部分では蛇行させて配線することで、前記面積の差を少なくした
ことを特徴とする［２］に記載の画像形成装置。
【００２５】
上記発明では、蛇行させて配線することで、検出対象領域に沿った単位長さあたりのアンテナの面積は増加する。角部では蛇行させず、角部以外の部分で蛇行配線することで、角部以外の部分での単位長さあたりの面積が増えるので、角部に配置した所定面積の平面領域に含まれるアンテナの面積と、角部以外の部分に配置した平面領域に含まれるアンテナの面積との差が低減される。
【００２６】
［６］前記検出対象領域は、操作パネルもしくは、タッチパネルの存在領域に設けられる
ことを特徴とする［１］乃至［６］のいずれか１つに記載の画像形成装置。
【発明の効果】
【００２７】
本発明に係る画像形成装置によれば、省電力モードからの復帰操作を検出する静電容量式の人体検知センサのアンテナの角部と角部以外の部分での感度差を少なく抑えることができる。
【図面の簡単な説明】
【００２８】
【図１】本発明の実施の形態に係る画像形成装置の正面図である。
【図２】本発明の実施の形態に係る画像形成装置の概略構成を示すブロック図である。
【図３】操作パネルの正面と操作パネルに設けられた人体検知センサのアンテナを示す図である。
【図４】第１態様のアンテナを示す図である。
【図５】第２態様のアンテナを示す図である。
【図６】第３態様のアンテナを示す図である。
【図７】第４態様のアンテナを示す図である。
【図８】第５態様のアンテナを示す図である。
【図９】静電容量の生じる仕組みを説明する図である。
【図１０】操作パネルのディスプレイ上に設けたタッチパネルのベゼル（外周の枠）に沿って配線したアンテナの一例を示す図である。
【図１１】検出回路およびアンテナとタッチパネルの枠との間に生じる静電容量を模式的に示す図である。
【図１２】アンテナに手指を近づけたときに浮遊容量が生じる様子を模式的に示す図である。
【図１３】人の手や指に見立てた平面電極をアンテナの各所に近づけた場合に該平面電極が検出された距離を示す図である。
【図１４】アンテナの角部と角部以外の部分に平面電極を配置した様子を示す図である。
【図１５】右端に操作パネルが設置された画像形成装置の右側に人が立った状態を示す図である。
【図１６】角部が生じないように配線したアンテナの一例を示す図である。
【図１７】角部が生じないように配線したアンテナの他の例を示す図である。
【発明を実施するための形態】
【００２９】
以下、図面に基づき本発明の実施の形態を説明する。
【００３０】
図１は、本発明の実施の形態に係る画像形成装置１０の正面図である。画像形成装置１０は、原稿を光学的に読み取ってその複製画像を記録紙に印刷するコピー機能、読み取った原稿の画像データをファイルにして保存したり外部端末へネットワークを通じて送信したりするスキャン機能、外部端末からネットワークを通じて受信した印刷データに係る画像を記録紙上に形成して印刷出力するＰＣプリント機能などの複数の機能を備えた、所謂、複合機である。
【００３１】
画像形成装置１０は、下部に記録紙を多数収容可能な複数の給紙トレイ１７を有し、給紙トレイ１７の上方の本体内部に、給紙トレイ１７から繰り出された記録紙に画像を形成する画像形成部１６を有する。画像形成部１６で画像形成された記録紙は、装置１０の向かって左側に設けられた排紙トレイ１８に排出される。画像形成部１６のさらに上方の本体内部には、原稿を光学的に読み取る画像読取部１４が設けてあり、その上には、原稿トレイ１５ａに積まれた原稿を１枚ずつ順に繰り出し、画像読取部１６の読み取り位置を経由して排出トレイ１５ｂまで搬送する自動搬送装置１５が載置されている。画像形成装置１０の本体正面右端には、ユーザから各種の操作を受け付ける操作パネル３０が設けてある。
【００３２】
図２は、画像形成装置１０の概略構成を示すブロック図である。画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２、ＲＡＭ１３(Random Access Memory)１３、画像読取部１４、自動原稿搬送装置１５、画像形成部１６、画像処理部２１、不揮発メモリ２２、ハードディスク装置２３、ファクシミリ通信部２４、ネットワーク通信部２５、操作パネル３０などが接続されている。また、画像形成装置１０は、自装置内の各部への電源の供給・遮断を制御する電源制御部２６を備えている。
【００３３】
ＣＰＵ１１は、ＯＳ（Operating System）プログラムをベースとし、その上で、ミドルウェアやアプリケーションプログラムなどを実行する。また、ＲＯＭ１２には、起動プログラム等が格納される。
【００３４】
ＲＡＭ１３は、ＣＰＵ１１がプログラムに基づいて処理を実行する際に各種のデータを一時的に格納するワークメモリや画像データを格納する画像メモリなどとして使用される。
【００３５】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００３６】
自動原稿搬送部１５は、原稿トレイ１５ａにセットされた原稿をその最上のものから１枚ずつ順に繰り出して搬送し、画像読取部１４の読み取り位置を通過させて所定の排紙位置(排出トレイ１５ｂ)へ排紙する機能を果たす。
【００３７】
画像形成部１６は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成の方式は他の方式でもかまわない。
【００３８】
画像処理部２１は、画像の拡大縮小、回転などの処理のほか、印刷データをイメージデータに変換するラスタライズ処理、画像データの圧縮、伸張処理などを行う。
【００３９】
不揮発メモリ２２は、電源をオフにしても記憶内容が破壊されないメモリ（フラッシュメモリ）であり、各種設定情報の保存などに使用される。
【００４０】
ハードディスク装置２３は、大容量の不揮発記憶デバイスであり、ＯＳプログラム、ミドルウェア、アプリケーションプログラムなどの各種プログラム、画像ファイル等が格納される。ハードディスク装置２３に格納されたプログラムは必要時にＲＡＭ１３に展開されてＣＰＵ１１により実行され、当該画像形成装置１０の各機能が実現される。
【００４１】
ファクシミリ通信部２４は、ファクシミリ機能を備えた外部装置と公衆回線等を通じて画像データを送受信する機能を果たす。
【００４２】
ネットワーク通信部２５は、ＬＡＮ(Local Area Network)などのネットワークを通じて外部の装置と通信する機能を果たす。
【００４３】
操作パネル３０は、操作パネルＣＰＵ３１、液晶ディスプレイ３２、ハードキー３３、タッチパネル３４、人体検知センサ４０を備えている。液晶ディスプレイ３２は、操作画面、設定画面などの各種の画面を表示する。ハードキー３３として、テンキー、スタート釦、ストップ釦、機能選択釦などがある。タッチパネル３４は、液晶ディスプレイ３２の表示面に設けられた電極スクリーンであり、タッチペンや指などで接触操作された座標位置を検出する。人体検知センサ４０は、所定の検出対象領域において人体の有無を検出する。人体検知センサ４０は、背景技術で説明したものと同様の静電容量式であり、アンテナ４２と、該アンテナ４２が接続された検知回路４１で構成される。
【００４４】
液晶ディスプレイ３２、ハードキー３３、タッチパネル３４、人体検知センサ４０はいずれも操作パネルＣＰＵ３１に接続されており、操作パネルＣＰＵ３１によって制御される。ハードキー３３、タッチパネル３４から出力される操作の検出信号、人体検知センサ４０の検知回路４１から出力される人体の検出信号は、操作パネルＣＰＵ３１に入力される。なお、検知回路４１の出力する検出信号は操作パネルＣＰＵ３１に割り込み信号として入力される。
【００４５】
画像形成装置１０は、動作モードとして、通常モードと、通常モードよりも消費電力の少ない省電力モードを備えている。通常モードでは、画像形成装置１０の各部に電力が供給されて動作可能になる。省電力モードでは、操作パネル３０の操作パネルＣＰＵ３１と人体検知センサ４０にのみ電力が供給され、他の部分への電力供給は切断される。
【００４６】
画像形成装置１０は、たとえば、ジョブの実行がなく且つユーザからの操作を待っている待機状態で無操作状態が一定時間以上継続すると、通常モードから省電力モードに移行する。具体的には、ＣＰＵ１１は上記の無操作状態が一定時間以上継続したことを検出すると省電力モードに移行する指示を電源制御部２６および操作パネル３０に出力する。該指示を受けた電源制御部２６は、操作パネル３０の操作パネルＣＰＵ３１および人体検知センサ４０以外の部分への電源供給を遮断する。また、該指示を受けた操作パネルＣＰＵ３１は、割り込み信号の監視のみを行う低消費電力モードに移行する。省電力モードでは、液晶ディスプレイ３２の表示が消えると共に、タッチパネル３４による操作の検出およびハードキー３３の操作も検出も停止する。
【００４７】
省電力モードの状態で、人体検知センサ４０が人体（通常モードへの復帰操作を行う人体、すなわち、一定以上の静電容量の変化）を検出すると、人体検知センサ４０の検知回路４１から操作パネルＣＰＵ３１に割り込み信号が出力される。該割り込み信号を受けた操作パネルＣＰＵ３１は低消費電力モードから脱して通常動作となり、電源制御部２６およびＣＰＵ１１に通常モードへの復帰指示を出力する。該復帰指示を受けた電源制御部２６は画像形成装置１０の各部に電源の供給を再開する。電源の供給再開によって起動したＣＰＵ１１は操作パネルＣＰＵ３１からの復帰指示を確認したら、通常モードへ復帰するための所定の復帰処理を行う。これにより画像形成装置１０の全体が省電力モードから通常モードに復帰して通常の動作を再開する。
【００４８】
なお、通常モードから省電力モードへの移行や省電力モードから通常モードへの復帰のシーケンスは上記の例に限定されるものではなく、検知回路４１による人体の検出に基づいて省電力モードから通常モードに復帰すれば、復帰シーケンスは任意でよい。
【００４９】
図３は、操作パネル３０の正面と操作パネル３０に設けられた人体検知センサ４０のアンテナ４２の一例を示す図である。人体検知センサ４０のアンテナ４２は線状の導電体で構成されており、ユーザから復帰の操作を受け得る検出対象領域の外周に沿って配線されている。ここでは、検出対象領域は、液晶ディスプレイ３２の表示面（表示領域）であり、４隅に角を備えた長方形を成している。液晶ディスプレイ３２のサイズは、たとえば、８インチである。
【００５０】
図３に示すアンテナ４２は、第１アンテナ４２ａと第２アンテナ４２ｂに分けて構成されており、それぞれに対応して検知回路４１が設けられている。第１アンテナ４２ａは、長方形の検出対象領域の一方の長辺と一方の短辺に沿って略Ｌ字型に配線されて角部を備えている。第２アンテナ４２ｂは長方形の検出対象領域の他方の長辺と他方の短辺に沿って略Ｌ字型に配線されて角部を備えている。
【００５１】
第１アンテナ４２ａ、第２アンテナ４２ｂはそれぞれ、角部の感度と角部以外の部分の感度との差が少なくなるようにその形状が設定されている。角部と角部以外の部分の感度差が少なくなるアンテナ４２の形状を以下に複数の態様について例示する。以後の説明では、第１アンテナ４２ａ、第２アンテナ４２ｂを区別せず、単に、アンテナ４２とする。
【００５２】
なお、角部とは、アンテナ４２のうち、検査対象領域の角とその前後所定範囲（たとえば、角とその前後２〜５ｃｍの範囲）に沿って設けられた部分を指す。角部は、復帰操作を行う人の手指に相当する後述の平面領域６０を、図１０に示すような従来のアンテナの一の角を含みかつ感度が最大となる位置（角位置）に配置したときに該平面領域６０の中に含まれる範囲としてもよい。
【００５３】
＜第１態様＞
図３および図４は、アンテナ４２を角部で角を作るように配線し、角部でのアンテナ４２の太さ(線幅)を、角部以外の部分の太さより細くすることで、角部と角部以外の部分の感度差を少なく抑えた場合のアンテナ４２を示している。
【００５４】
図４に示すように、復帰の操作を行う人の手指に対応する所定サイズの正方形の平面領域６０を定義し、該平面領域６０を、アンテナ４２の角部（角位置（図中の６０Ａ））に配置した場合と、角部以外の部分（非角位置（図中の６０Ｂ））に配置した場合とで、平面領域６０Ａ、６０Ｂに含まれるアンテナ４２の面積の差が少なくなるように、アンテナ４２の太さを、角部で、角部以外の部分より細くしてある。角位置は、平面領域６０の中にアンテナ４２の角が含まれかつ感度が最も高くなる位置とすることが好ましい。そして、この角位置に配置した平面領域６０の中に含まれる部分のアンテナを、アンテナ４２の角部とする。
【００５５】
図４の例では、角位置に配置した平面領域６０Ａに含まれる部分(角部)の全体でアンテナ４２の太さを他の部分のアンテナ４２の太さより細くしてある。好ましくは、非角位置の平面領域６０Ｂに含まれるアンテナ４２の面積と角位置の平面領域６０Ａに含まれるアンテナ４２の面積が等しくなるように太さを設定する。なお、細くする部分は角部の中の一部であってもよい。
【００５６】
平面領域６０は、復帰の操作を行う人の手指に対応するサイズであるから、平面領域６０に含まれるアンテナ４２の面積が角部と角部以外の部分で等しければ、Ｃ＝ε０εＳ×Ｓ÷Ｌ  の関係から、人の手指を距離Ｌまでアンテナ４２の角部に近づけた場合にその手指とアンテナ４２との間に生じる浮遊容量と、人の手指を同じ距離Ｌまでアンテナ４２の角部以外の部分に近づけた場合にその手指とアンテナ４２との間に生じる浮遊容量は同じになる。従って、復帰操作を行う人の手指に対応するサイズの平面領域６０に含まれるアンテナ４２の面積が角部と角部以外の部分で等しければ、人体検知センサ４０が静電容量の変化で人体を検出する距離(感度）も角部と角部以外の部分とで同じになる。
【００５７】
平面領域６０は、たとえば、一辺が５ｃｍ〜７ｃｍ程度の正方形、あるいは、直径が５ｃｍ〜７ｃｍ程度の円形等とすることができる。平面領域６０のサイズ・形状は、復帰操作を行う人の手指に相当するような電極のサイズ、形状と考えればよい。
【００５８】
＜第２態様＞
図５は、アンテナ４２を角部で角を作らずにカーブさせて配線することで、角部と角部以外の部分の感度差を少なく抑えた場合を示している。
【００５９】
図４の場合と同様に、平面領域６０を角位置（図中の６０Ａ）に配置した場合と、非角位置（図中の６０Ｂ）に配置した場合とで、平面領域６０Ａ、６０Ｂに含まれるアンテナ４２の面積の差が、カーブさせずに角を作った場合に比べて、少なくなるようにアンテナ４２を角部でカーブさせてある。
【００６０】
図５の例では、角位置に配置した平面領域６０Ａに含まれる部分(角部)の全体をかけてアンテナ４２が９０度曲がるようにカーブさせてある。カーブの半径を小さくして角部の一部で必要な角度だけ曲がるようにしてもよい。カーブを大きくするほど、平面領域６０Ａに含まれるアンテナ４２の面積は少なくなる。
【００６１】
＜第３態様＞
図６は、アンテナ４２を角部以外の部分で蛇行させて配線し、角部で蛇行させずに配線することで、角部と角部以外の部分の感度差を少なく抑えた場合のアンテナ４２を示している。蛇行させることで、蛇行させない場合に比べて、検出対象領域の外周に沿う方向における単位長あたりのアンテナ４２の面積を増加させている。
【００６２】
図４、図５の場合と同様に、平面領域６０を角位置（図中の６０Ａ）に配置した場合と、非角位置（図中の６０Ｂ）に配置した場合とで、平面領域６０Ａ、６０Ｂに含まれるアンテナ４２の面積の差が少なくなるように(好ましく同一面積になるように)、角部ではアンテナ４２を蛇行させずに配線し、角部以外の部分でアンテナ４２を蛇行させて配線する。図６の例では、角位置に配置した平面領域６０Ａに含まれる部分(角部)の全体でアンテナ４２を蛇行させずに配線し、それ以外の部分でアンテナ４２を蛇行させて配線してある。角部に含まれる部分の一部でのみ蛇行させずに配線してもかまわない。
【００６３】
＜第４態様＞
図７に示す第４態様では、アンテナ４２は、角部の太さを角部以外の部分の太さより細くし、かつ角部でカーブさせることで、角部と角部以外の部分の感度差を少なくしている。この場合も、平面領域６０を角位置（図中の６０Ａ）に配置した場合と、非角位置（図中の６０Ｂ）に配置した場合とで、平面領域６０Ａ、６０Ｂに含まれるアンテナ４２の面積の差が少なくなるようにしてある。
【００６４】
＜第５態様＞
図８に示す第５態様では、アンテナ４２は、角部で蛇行させずにカーブさせて配線し、角部以外の部分で蛇行させて配線することで、角部と角部以外の部分の感度差を少なくしている。この場合も、平面領域６０を角位置（図中の６０Ａ）に配置した場合と、非角位置（図中の６０Ｂ）に配置した場合とで、平面領域６０Ａ、６０Ｂに含まれるアンテナ４２の面積の差が少なくなるようにしてある。
【００６５】
このように、アンテナ４２を、角部で角を作らずにカーブさせて配線する、アンテナ４２の太さを角部で角部以外の部分より細くする、アンテナ４２を角部では蛇行させずに配線し角部以外の部分で蛇行させて配線する、のうちの少なくとも１つを採用した形状にする、すなわち一般化して言えば、復帰の操作を行う人の手指に対応する所定の平面領域６０を、アンテナ４２の角部に配置した場合と、アンテナ４２の角部以外の部分に配置した場合とで、該平面領域６０に含まれるアンテナの面積の差が少なくなるようにアンテナ４２の各部の形状を設定したので、アンテナ４２の角部と角部以外の部分との感度差を少なく抑えることができる。これにより、単に近くで立っているだけの人を、復帰操作を行う人体であると誤検知することなく、人体検知センサ４０の全体としての感度を高めることができる。
【００６６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６７】
実施の形態では、液晶ディスプレイ３２の表示面を検出対象領域とし、その外周に沿ってアンテナ４２を配線したが、検出対象領域はこれに限定されず、復帰のための操作をユーザから受ける場所であればよい。たとえば、ハードキー３３の設置されている部分も、検出対象領域に含むようにしてもよい。
【００６８】
実施の形態では、検出対象領域の角部は９０度の角である場合を例に説明したが、９０度以外であってもかまわない。たとえば、検出対象領域が正六角形のような形状の場合、各頂点とその前後所定範囲が角部となる。
【００６９】
省電力モードは、消費電力の異なる複数のレベルが存在してもよい。この場合、人体検知センサ４０による復帰の検出は、最も消費電力の少ないレベルの省電力モードから復帰する場合に使用するとよい。
【符号の説明】
【００７０】
１０…画像形成装置
１１…ＣＰＵ
１２…ＲＯＭ
１３…ＲＡＭ
１４…画像読取部
１５…画像読取部
１５…自動搬送装置
１５ａ…原稿トレイ
１５ｂ…排出トレイ
１６…画像形成部
１７…給紙トレイ
１８…排紙トレイ
２１…画像処理部
２２…不揮発メモリ
２３…ハードディスク装置
２４…ファクシミリ通信部
２５…ネットワーク通信部
２６…電源制御部
３０…操作パネル
３１…操作パネルＣＰＵ
３２…液晶ディスプレイ
３３…ハードキー
３４…タッチパネル
４０…人体検知センサ
４１…検知回路
４２…アンテナ
４２ａ…第１アンテナ
４２ｂ…第２アンテナ
６０…平面領域
６０Ａ…角位置に配置した平面領域
６０Ｂ…非角位置に配置した平面領域
【図１】
0006628093.tif 000002
【図２】
0006628093.tif 000003
【図３】
0006628093.tif 000004
【図４】
0006628093.tif 000005
【図５】
0006628093.tif 000006
【図６】
0006628093.tif 000007
【図７】
0006628093.tif 000008
【図８】
0006628093.tif 000009
【図９】
0006628093.tif 000010
【図１０】
0006628093.tif 000011
【図１１】
0006628093.tif 000012
【図１２】
0006628093.tif 000013
【図１３】
0006628093.tif 000014
【図１４】
0006628093.tif 000015
【図１５】
0006628093.tif 000016
【図１６】
0006628093.tif 000017
【図１７】
0006628093.tif 000018